(57)【特許請求の範囲】
【請求項１】
ゴルフクラブヘッドのフェース部のバック面に凹部が設けられているアイアン型のゴルフクラブヘッドにおいて、
前記バック面のトウ側、トップ側及びヒール側に第１凹部が配置され、
前記バック面のソール側に第２凹部が配置され、
前記第２凹部のフェース・バック方向の深さは、前記第１凹部のフェース・バック方向の深さよりも大きいゴルフクラブヘッドであって
前記ゴルフクラブヘッドは、ホゼル部を有するヘッド本体と、前記ヘッド本体の前面に装着され、前記フェース部を含むフェース本体とを備え、
前記フェース本体は、前記ゴルフクラブヘッドのソール部の一部を構成する底部を有しており、
前記第２凹部は、フェース面側に凹陥するとともに該底部においてソール側に凹陥していることを特徴とするゴルフクラブヘッド。
【請求項２】
請求項１において、前記第１凹部はトウ側からトップ側を経てヒール側まで連続して配置されていることを特徴とするゴルフクラブヘッド。
【請求項３】
請求項１又は２において、前記第１凹部と前記第２凹部とが連なっていることを特徴とするゴルフクラブヘッド。
【請求項４】
請求項３において、トウ側の前記第１凹部はソール側に回り込んで、前記第２凹部のトウ側端部に連なっていることを特徴とするゴルフクラブヘッド。
【請求項５】
請求項１ないし４のいずれか１項において、前記第２凹部は、前記フェース本体のソール側エッジに沿って設けられていることを特徴とするゴルフクラブヘッド。
【請求項６】
請求項１ないし５のいずれか１項において、前記第２凹部は断面形状が円弧形状であることを特徴とするゴルフクラブヘッド。
【請求項７】
請求項１ないし６のいずれか１項において、前記ソール部の底面部には、トウ・ヒール方向に延びる溝が設けられており、該溝のトウ・ヒール方向の両端部は、端部ほどバック側に近付くことを特徴とするゴルフクラブヘッド。
【発明の詳細な説明】
【技術分野】
【０００１】
本発明は、アイアン型のゴルフクラブヘッドに関するものである。
【背景技術】
【０００２】
アイアン型ゴルフクラブは、ボール反発性能が高く、フェース部においてオフセンターでボールを打撃しても、飛距離の変化が小さいことが望ましい。
【０００３】
特許文献１には、フェースプレートの裏面における弾性環状区域において間隔をおいて内外に配列される複数本の環状溝を形成し、２つの隣り合う環状溝の間に環状フランジを形成することで、高弾性反発を生じ、スイートゾーンを拡大させるゴルフクラブヘッドが提案されている。
【０００４】
特許文献２には、キャビティ部のフェース面側の内面の下部が、フェース面に向って凹陥する前向き凹所となっており、ボールをヒットしたときのフェース部の撓みが大きく、ボールの初速が大きくなり、飛距離が増大するアイアン型ゴルフクラブヘッドが提案されている。
【０００５】
特許文献３には、フェース部の裏面のトップ部側及びソール部側に、トップ部側及びソール部側のエッジに沿って薄肉厚部を形成したり貫通孔を形成したりすることで、その近傍領域を大変形部としたアイアン型ゴルフクラブが提案されている。
【０００６】
特許文献４には、フェース部の下方寄りの箇所にフェース部側薄肉部およびソール部側薄肉部を設けることで、フェース部でボールを打撃した際にたわむたわみエリアがフェース部の下部において拡大されるゴルフクラブヘッドが提案されている。
【０００７】
特許文献５には、フェース裏面のトップ側エッジ、トウ側エッジ及びリーディングエッジに溝を設けたゴルフクラブが提案されている。
【０００８】
特許文献６には、フェース部材の背面に、外周端面に沿って環状にのびる凹溝が形成されたアイアン型ゴルフクラブヘッドが提案されている。
【先行技術文献】
【特許文献】
【０００９】
【特許文献１】特開２０１５−２３９４５公報
【特許文献２】特開２０１５−１９７４６号公報
【特許文献３】特開２０１２−９０６８０号公報
【特許文献４】特許第５４７２５２２号明細書
【特許文献５】特開２００７−４４４４５号公報
【特許文献６】特開２００５−１４３５９１号公報
【発明の概要】
【発明が解決しようとする課題】
【００１０】
本発明は、ボール打撃時の反発性能を向上させると共に、オフセンターでボールを打撃した際の飛距離減少を抑えることができるゴルフクラブヘッドを提供することを目的とする。
【課題を解決するための手段】
【００１１】
本発明のゴルフクラブヘッドは、ゴルフクラブヘッドのフェース部のバック面に凹部が設けられているアイアン型のゴルフクラブヘッドにおいて、前記バック面のトウ側、トップ側及びヒール側に第１凹部が配置され、前記バック面のソール側に第２凹部が配置され、前記第２凹部のフェース・バック方向の深さは、前記第１凹部のフェース・バック方向の深さよりも大きいことを特徴とするものである。
【００１２】
本発明の一態様では、前記第１凹部はトウ側からトップ側を経てヒール側まで連続して配置されている。
【００１３】
本発明の一態様では、前記第１凹部と前記第２凹部とが連なっている。
【００１４】
本発明の一態様では、トウ側の前記第１凹部はソール側に回り込んで、前記第２凹部のトウ側端部に連なっている。
【００１５】
本発明の一態様では、前記ゴルフクラブヘッドは、ホゼル部を有するヘッド本体と、前記ヘッド本体の前面に装着され、前記フェース部を含むフェース本体とを備え、前記フェース本体は、前記ゴルフクラブヘッドのソール部の一部を構成している。
【発明の効果】
【００１６】
本発明のゴルフクラブヘッドにあっては、フェース部のバック面のトウ側、トップ側及びヒール側に第１凹部が配置され、バック面のソール側にフェース・バック方向の深さが第１凹部の深さよりも大きい第２凹部が配置されているため、フェース部の撓みが大きくなってボールの反発性が向上すると共に、フェース部においてオフセンターでボールを打撃した際の飛距離減少を抑えることができる。
【図面の簡単な説明】
【００１７】
【図１】実施の形態に係るアイアン型ゴルフクラブヘッドの背面図である。
【図２】図１のゴルフクラブヘッドの正面図である。
【図３】図１のゴルフクラブヘッドの底面図である。
【図４】図１のIV−IV線に沿う断面図である。
【図５】フェース本体のバック側からの斜視図である。
【図６】フェース本体の図４に対応する端面図である。
【発明を実施するための形態】
【００１８】
以下、図１〜図６を参照して実施の形態に係るアイアン型ゴルフクラブヘッドについて説明する。
【００１９】
このアイアン型のゴルフクラブヘッド１は、シャフトの先端に取り付けられるものであり、ヘッド本体１０と、このヘッド本体１０の前面に装着されたフェース本体２０とを備え、フェース本体２０のフェース部２１のバック面２１ｂに第１凹部２３〜２５及び第２凹部２６が設けられている。図２では、第１凹部２３〜２５及び第２凹部２６を破線で示している。
【００２０】
ヘッド本体１０は、フェース本体２０が装着されるフェース本体装着部１１と、フェース本体装着部１１のヒール側に連なるホゼル部１２と、フェース本体装着部１１の下部に連なるソール部１３とを有している。ホゼル部１２にはシャフトを差し込むためのホゼル穴（図示略）が設けられている。フェース部２１の前面がフェース面２１ｆである。フェース面２１ｆには、多数のスコアライン（溝、図示略）が設けられてもよい。
【００２１】
ゴルフクラブヘッド１のフェース部２１のバック面２１ｂ側にキャビティ部１４が設けられている。キャビティ部１４は、トウ側からヒール側にまで延在しており、ソール部１３と、トウ側凸部１５、トップ側凸部１６及びヒール側凸部１７とによって周囲が囲まれている。これらの凸部１５〜１７は、フェース本体装着部１１の周縁からバック側に起立している。
【００２２】
図４に示すように、フェース本体２０は、フェース部２１と、ソール部１３に連なる底部２２とを有した、略Ｌ字形の縦断面形状となっている。フェース本体装着部１１にフェース本体２０を装着し、ヘッド本体１０とフェース本体２０とを一体としてゴルフクラブヘッド１を作製した場合、フェース本体２０の底部２２及びヘッド本体１０のソール部１３とにより、ゴルフクラブヘッド１のソール部が構成される。フェース本体２０は、例えば、電子ビーム溶接などの固着手段によってフェース本体装着部１１に固着されている。
【００２３】
ソール部１３の上面部１３ｔは、トウ・ヒール方向の中間部がトウ側及びヒール側よりも高位の山部となっており、この中間部からトウ側、ヒール側に向かって徐々に低位となっている。図３に示すように、ソール部１３の底面部１３ｂにはトウ・ヒール方向に延びる溝１３ａが設けられてもよい。溝１３ａのトウ・ヒール方向の両端部は、端部ほどバック側に近付くように設けられている。
【００２４】
フェース部２１のバック面２１ｂには、第１凹部２３〜２５と第２凹部２６とが設けられている。第１凹部２３は、フェース本体２０のトウ側エッジ２０ａに沿って設けられている。第１凹部２４は、フェース本体２０のトップ側エッジ２０ｂに沿って設けられている。第１凹部２５は、フェース本体２０のヒール側エッジ２０ｃに沿って設けられている。第２凹部２６は、フェース本体２０のソール側エッジ２０ｄに沿って設けられている。
【００２５】
第１凹部２３のトップ側は、第１凹部２４のトウ側に連なっている。第１凹部２４のヒール側は、第１凹部２５のトップ側に連なっている。第１凹部２５のソール側は、第２凹部２６のヒール側に連なっている。第１凹部２３のソール側は、第２凹部２６のトウ側に連なっている。第１凹部２４及び第１凹部２５と、第２凹部２６が連なるようにすることで、フェース部２１をより撓みやすくすることができる。
【００２６】
底部２２のトウ・ヒール方向の長さは、フェース部２１のトウ・ヒール方向の長さより短くなっている。底部２２のトウ側端面２２ａ（図５）は、フェース本体２０のトウ側エッジ２０ａよりもヒール側に位置している。そのため、第１凹部２３はソール側に向かうに従いヒール側へ湾曲し、フェース本体２０のソール側に回り込むようにして、第２凹部２６のトウ側端部に連なる。
【００２７】
第２凹部２６のトウ側端部は、底部２２のトウ側端面２２ａまで延び、開口端となっている。同様に、第２凹部２６のヒール側端部は、底部２２のヒール側端面まで延び、開口端となっている。このように第２凹部のトウ側及びヒール側を開口端とすることで、フェース部２１をより撓みやすくすることができる。第１凹部２３は、底部２２のトウ側端面２２ａよりも僅かにヒール側において第２凹部２６に連なる。また、第１凹部２５は、底部２２のヒール側端面よりもわずかにトウ側において第２凹部２６に連なる。
【００２８】
この実施の形態では、第１凹部２３〜２５は、幅及び深さが互いに同一又は略同一であり、第２凹部２６よりも幅及び深さが小さくなっている。第１凹部２３〜２５は、幅及び深さを互いに異ならせてもよい。
【００２９】
この実施の形態では、第１凹部２３〜２５は、フェース本体２０のバック面２１ｂにおいてトウ側からトップ側を経てヒール側まで連続して配置され、第２凹部２６に連なっている。従って、フェース本体２０のバック面２１ｂには、トウ側、トップ側、ヒール側及びソール側を囲むように凹部２３〜２６が設けられており、フェース部２１をより撓みやすくすることができる。
【００３０】
図６は、フェース面２１ｆを水平面に対し垂直となるように設定した状態（以下、フェース面垂直状態とよぶ）である。フェース本体２０のフェース部２１の厚みＴ１は、特に制限されないが、例えば１．８ｍｍ以上、２．６ｍｍ以下である。この実施の形態では２．２ｍｍである。
【００３１】
フェース面垂直状態における第１凹部２３〜２５のフェース・バック方向の深さＤ１は０．１ｍｍ以上特に０．２ｍｍ以上が好ましく、０．５ｍｍ以下特に０．４ｍｍ以下が好ましい。この実施の形態では０．３ｍｍである。フェース面垂直状態における第１凹部２３〜２５のトップ・ソール方向の幅Ｗ１は０．５ｍｍ以上特に０．７ｍｍ以上が好ましく、１．５ｍｍ以下特に１．３ｍｍ以下が好ましい。この実施の形態では１．０ｍｍである。
【００３２】
フェース面垂直状態におけるフェース本体２０のトウ側エッジ２０ａ、トップ側エッジ２０ｂ、ヒール側エッジ２０ｃから第１凹部２３〜２５までの距離Ｌ３は、５．０ｍｍ以下特に４．０ｍｍ以下が好ましい。この実施の形態では３．０ｍｍである。
【００３３】
フェース面垂直状態において第２凹部２６のバック面２１ｂに対するフェース・バック方向の深さＤ２は、０．３ｍｍ以上特に０．５ｍｍ以上が好ましく、１．３ｍｍ以下特に１．１ｍｍ以下が好ましい。この実施の形態では０．８ｍｍである。第２凹部２６の深さＤ２は、第１凹部２３〜２５の深さＤ１より大きくなっており、フェース部２１のソール側をより撓みやすくすることができる。アイアン型のゴルフクラブは、地面にあるゴルフボールを打撃する場面が主であるため、フェース部２１のソール側でボールを打撃する事が多い。そのため、主な打撃位置となるフェース部２１のソール側をより撓みやすくすることで、主な打撃位置での反発性をより向上させることができる。また、フェース部２１のバック面２１ｂの全周にわたり深い凹部を設けると打撃耐久性に劣るおそれがある。そのため、第１凹部２３〜２５の深さＤ１と第２凹部２６の深さＤ２を異ならせることで、反発性を向上させながらも、必要な打撃耐久性を備えるようにすることができる。フェース面垂直状態において、バック面２１ｂからソール方向に延長した仮想面２１ｃが第２凹部２６と交わるトップ側の位置から、仮想面２１ｃと第２凹部２６とが交わるソール側の位置までの距離Ｗ２は、２．５ｍｍ以上特に２．７ｍｍ以上が好ましく、３．５ｍｍ以下特に３．３ｍｍ以下が好ましい。この実施の形態では３．０ｍｍである。
【００３４】
第２凹部２６は、フェース部２１においてフェース面２１ｆ側に凹陥するだけでなく、底部２２においてソール側に凹陥させてもよい。これにより、フェース部２１のソール側をより撓みやすくすることができる。フェース面垂直状態における第２凹部２６全体としてのトップ・ソール方向の距離Ｌ１は２．５ｍｍ以上特に２．７ｍｍ以上が好ましく、３．８ｍｍ以下特に３．６ｍｍ以下が好ましい。この実施の形態では３．３ｍｍである。フェース面垂直状態における第２凹部２６全体としてのフェース・バック方向の距離Ｌ２は１．５ｍｍ以上特に２．０ｍｍ以上が好ましく、４．０ｍｍ以下特に３．５ｍｍ以下が好ましい。この実施の形態では３．２ｍｍである。
【００３５】
このゴルフクラブヘッド１でゴルフボールを打撃したとき、フェース本体２０のソール側エッジ２０ｄに沿って第２凹部２６が設けられているため、ゴルフクラブヘッド１のソール側の剛性が下がり、フェース部２１のソール側がより撓みやすくなり、ゴルフボールを打撃したときの反発性が向上する。
【００３６】
また、フェース部２１においてオフセンターでボールを打撃しても、フェース本体２０のトウ側エッジ２０ａ、トップ側エッジ２０ｂ、及びヒール側エッジ２０ｃに沿って第１凹部２３〜２５が設けられているため、フェース部２１が撓みやすくなり、飛距離減少を抑えることができる。
【００３７】
この実施の形態では、第１凹部２３〜２５、及び第２凹部２６が連続的に設けられているが、１又は複数箇所にて途切れていてもよい。
【００３８】
この実施の形態では、第１凹部２３〜２５、及び第２凹部２６の断面形状を円弧形状としていたが、三角形や四角形等の多角形状、Ｖ字形、非対称形状等の形状であってもよい。
【符号の説明】
【００３９】
１  ゴルフクラブヘッド
１０  ヘッド本体
１１  フェース本体装着部
１２  ホゼル部
１３  ソール部
１４  キャビティ部
１５  トウ側凸部
１６  トップ側凸部
１７  ヒール側凸部
２０  フェース本体
２１  フェース部
２２  底部
２３〜２５  第１凹部
２６  第２凹部
【図１】
0006661962.tif 000002
【図２】
0006661962.tif 000003
【図３】
0006661962.tif 000004
【図４】
0006661962.tif 000005
【図５】
0006661962.tif 000006
【図６】
0006661962.tif 000007